(57)【要約】【課題】照明光学系において、明るい光源部を有していながら、光束照射による反射光学素子表面における温度上昇を抑制し、かつ反射光学素子の大型化を抑制する。【解決手段】発光体１０３とリフレクタ１０２からなり、射出された光束を一点に向けて収束させる２つの光源部１０１と、各光源部１０１から射出された光束の光量均一化を図るインテグレータ部１０８と、各光源部１０１からの光束をインテグレータ部１０８方向へ反射する反射光学素子１０４とを備えた照明光学系であり、条件式（１）を満足する。0.05<2Ltan(θ/2)/D<0.35(1)：但し、Dはリフレクタの有効径、Lは光束結像位置から反射光学素子までの光軸上の距離、θは結像位置へ入射する光の収束角。【選択図】図１
2008158112.tif 000002
【特許請求の範囲】
【請求項１】
リフレクタの略焦点位置に発光体を配設してなり、該発光体から射出された光束を一点に向けて収束させる機能を有する光源部と、該光源部から射出された光束の光量均一化を図るインテグレータ部と、前記光源部からの光束を該インテグレータ部方向へ反射する反射光学素子とを備え、
下記条件式（１）を満足することを特徴とする照明光学系。
０．０５＜２｜Ｌ｜ｔａｎ（θ／２）／Ｄ＜０．３５・・・（１）
ただし、
Ｄ：前記リフレクタの有効径
Ｌ：前記光源部から射出された光束の結像位置から前記反射光学素子までの光軸上での距離（前記結像位置から前記光源部方向を正にとる）
θ：前記結像位置へ入射する光の収束角
【請求項２】
前記リフレクタは、楕円面形状とされてなることを特徴とする請求項１記載の照明光学系。
【請求項３】
前記リフレクタは、放物面形状とされてなり、前記光源部が、該リフレクタからの平行光束を集光させるコンデンサレンズを備えていることを特徴とする請求項１記載の照明光学系。
【請求項４】
前記インテグレータ部が１対のインテグレータ板を有し、該インテグレータ部の前記反射光学素子側に、該反射光学素子からの光束を平行光束として該インテグレータ部に向けて射出する少なくとも１枚のコリメータレンズが配設されていることを特徴とする請求項１〜３のうちいずれか１項記載の照明光学系。
【請求項５】
前記コリメータレンズは、少なくとも１面に非球面を備えたことを特徴とする請求項４記載の照明光学系。
【請求項６】
前記光源部が少なくとも２つ設けられ、該光源部の各々から射出された光束の光源像が結像位置において互いに近接して配されることを特徴とする請求項１〜５のうちいずれか１項記載の照明光学系。
【請求項７】
前記インテグレータ部が１対のインテグレータ板を有し、後段側の前記インテグレータ板のレンズアレイの各セルには少なくとも２つの前記光源部の像が形成されるように構成されたことを特徴とする請求項１〜６のうちいずれか１項記載の照明光学系。
【請求項８】
請求項１〜７のうちいずれか１項記載の照明光学系を備え、この照明光学系からの光束により、所定の画像情報に基づいて照明光束の光変調を行なう少なくとも１つのライトバルブを照明し、このライトバルブからの画像情報を担持した光束を、投写光学系を介し投写することを特徴とする投写型表示装置。
【発明の詳細な説明】
【技術分野】
【０００１】
本発明は、発光体およびリフレクタを備えた光源部からの光束により被照明体を照明する照明光学系に関するもので、特に、光源からの収束光束を反射光学素子により偏向するタイプの照明光学系、およびこれを用いた投写型表示装置に関するものである。
【背景技術】
【０００２】
従来より、プロジェクタを明るい室内で使用するため、さらに大画面の映像を投写できるようにするために、プロジェクタ用光源として、高輝度のものが求められている。
【０００３】
近年、大画面化に対する要求がより強いものとなってきており、それに伴って明るさに対する要求も加速していることから、光源の輝度が５０００ＡＮＳＩルーメン以上のものも使用されるに至っている。
このような明るいプロジェクタに対する要求に応えるため、複数の光源部を用い、光量の増大を図ったものが下記特許文献１〜５に開示されている。
【０００４】
【特許文献１】米国特許６４６４３７５号公報
【特許文献２】特開２０００−１７１９０１号公報
【特許文献３】特許第３５８１５６８号公報
【特許文献４】特開２００２−０７２０８３号公報
【特許文献５】国際公開ＷＯ０４−０３４１４１号公報
【発明の開示】
【発明が解決しようとする課題】
【０００５】
しかしながら、上記特許文献１〜５のものは、上記の明るさの要求に応えられるものではなかった。すなわち、光源部の明るさが増すほど、その光束が照射される照明光学系の各部材は光照射により加熱されることになり、特に、光源部の光束をインテグレータ部方向に偏向する反射光学素子（以下、単に反射ミラーと称する）は強く加熱されることになる。ここで前提となるのは、反射ミラーに照射される光束は、絞られたものであるということである。すなわち、大面積の反射ミラーで、絞られていない光束を反射させる場合、光束による温度上昇はそれ程深刻な問題にはならないが、それでは反射ミラーの大きさに伴って照明光学系が大型化してしまい、装置の小型化という要求に反することになる。そのため、光束を絞ることにより反射ミラーを小型化し、装置の小型化の一助となるようにしているのであるが、その場合、単位面積あたりの照射光量は増大し、光束による加熱の影響も増大することになる。一般に、このような反射ミラーにおいては、赤外線を透過させ、可視光を反射させるため、ミラー表面に波長選択性を有する多層膜等をコーティングしているが、集中的な光照射による上記温度上昇に伴い、この多層膜等が損傷を受けてしまうおそれがあった。
【０００６】
さらに、光源部を複数設ける場合には、各反射ミラーはこれら複数の光源部からの各光束により加熱されることになる。反射ミラーを光源部ごとに設け、互いに離して配設することで加熱の影響を少なくすることはできるが、照明光学系がどうしても大型化することから、小型化の要求に反してしまい好ましくない。
【０００７】
本発明は上記事情に鑑みなされたものであり、明るい光源部を有していながら、光束照射による反射光学素子表面における温度上昇を抑制し、かつ反射光学素子の大型化を抑制し得る照明光学系およびその投写型表示装置を提供することを目的とする。
【課題を解決するための手段】
【０００８】
本発明の照明光学系は、リフレクタの略焦点位置に発光体を配設してなり、該発光体から射出された光束を一点に向けて収束させる機能を有する光源部と、該光源部から射出された光束の光量均一化を図るインテグレータ部と、前記光源部からの光束を該インテグレータ部方向へ反射する反射光学素子とを備え、
下記条件式（１）を満足することを特徴とするものである。
０．０５＜２｜Ｌ｜ｔａｎ（θ／２）／Ｄ＜０．３５・・・（１）
ただし、
Ｄ：前記リフレクタの有効径
Ｌ：前記光源部から射出された光束の結像位置から前記反射光学素子までの光軸上での距離（前記結像位置から前記光源部方向を正にとる）
θ：前記結像位置へ入射する光の収束角
【０００９】
また、前記リフレクタは、楕円面形状とされてなることが好ましい。
【００１０】
また、前記リフレクタは、放物面形状とされてなり、前記光源部が、該リフレクタからの平行光束を集光させるコンデンサレンズを備えていることが好ましい。
【００１１】
また、前記インテグレータ部が１対のインテグレータ板を有し、該インテグレータ部の前記反射光学素子側に、該反射光学素子からの光束を平行光束として該インテグレータ部に向けて射出する少なくとも１枚のコリメータレンズが配設されていることが好ましい。
【００１２】
また、前記コリメータレンズは、少なくとも１面に非球面を備えることが好ましい。
【００１３】
また、前記光源部が少なくとも２つ設けられ、該光源部の各々から射出された光束の光源像が結像位置において互いに近接して配されることが好ましい。
【００１４】
また、前記インテグレータ部が１対のインテグレータ板を有し、後段側の前記インテグレータ板のレンズアレイの各セルには少なくとも２つの前記光源部の像が形成されるように構成されることが好ましい。
【００１５】
さらに、本発明の投写型表示装置は、該照明光学系を備え、この照明光学系からの光束により、所定の画像情報に基づいて照明光束の光変調を行なう少なくとも１つのライトバルブを照明し、このライトバルブからの画像情報を担持した光束を、投写光学系を介し投写することを特徴とするものである。
【発明の効果】
【００１６】
本発明の照明光学系によれば、上記条件式（１）を満足するように設定されているので、光軸上における、光束結像位置から反射光学素子までの距離と、光軸上における、光束収束位置からリフレクタ（またはコンデンサレンズ）の光束射出位置までの距離との比が、この条件式（１）で規定された所定の範囲となるように設定されることになる。
【００１７】
このようにすることで、明るい光源部を用いた場合にも、反射光学素子の表面（特にコーティング膜）において、光束照射により集中的に加熱されるのを防止することができるので、該表面の損傷を受けにくくすることができるとともに、反射光学素子の大型化を防止することができる。
【００１８】
これにより、条件式（１）を満足した照明光学系を備えた投写型表示装置は、近年の大画面化の要請に応えることができる。さらに、従来、屋内光の下では得られなかった明るい映像を投写できるので、照明スイッチの切り換えおよび屋外光を遮蔽するための設備が不要となり、視聴者の利便性の向上さらには疲労の軽減が図られたものとすることができる。
【発明を実施するための最良の形態】
【００１９】
以下、本発明の実施形態について図面を用いて説明する。図１は本発明に係る実施例１の照明光学系とその投写型表示装置の基本構成を示すものであるが、この図１を代表例として、本実施形態を説明する。なお、以下の説明において、まず図１を用いて照明光学系を説明し、次に、図２および図３を用いて照明光学系にかかる条件式（１）について説明し、その後図１を用いて投写型表示装置の概略を説明する。
【００２０】
図１（Ａ）に示すように、この照明光学系１０は、楕円面上のリフレクタ１０２ａ，ｂの略焦点位置に発光体１０３ａ，ｂを配設し、発光体１０３ａ，ｂから射出された光束を一点に向けて収束させる光源部１０１ａ，ｂと、反射ミラー１０４ａ，ｂと、コリメータレンズ１０７と、第１インテグレータ板１０９および第２インテグレータ板１１０からなるインテグレータ部１０８と、櫛形ＰＢＳアレイ１１１とから構成されている。発光体１０３ａ，ｂから射出された光束は、各々リフレクタ１０２ａ，ｂにより反射され、更に反射ミラー１０４ａ，ｂにより各々反射される。その後光束は、コリメータレンズ１０７により略平行光束とされ、インテグレータ部１０８により光量の略均一化がなされ、櫛形ＰＢＳアレイ１１１によりＰ波またはＳ波いずれかの偏光にそろえられて、投写部３００に入射するようになっている。また、図中の一点鎖線は光軸１０６を示すものである。
【００２１】
また、本実施形態のものは、光源部１０１ａ，ｂの各々から射出された光束が収束位置（結像位置：以下同じ）１０５において互いに収束するようになっており、この位置１０５付近に各々の光源像を近接して形成し得るようになっている。
【００２２】
また、コリメータレンズ１０７は、光学性能の向上を図るため、少なくとも１面に非球面を備えることが望ましい。さらに、インテグレータ部１０８は１対のインテグレータ板１０９、１１０の替わりに、図９に示すような、柱状のガラス体等からなるロッドインテグレータ２００を用いてもよい。
【００２３】
図１（Ｂ）は、図１（Ａ）の光源部１０１ａ，ｂおよび反射ミラー１０４ａ，ｂを矢印Ｚ方向から見た場合の側面図を示したものである。２枚の反射ミラー１０４ａ，ｂは、図１（Ａ）に示す如く、端面視で互いに略直交するような配置とされているが、互いに光源部１０２ａ，ｂからの光束のケラレを防止するため、図１（Ｂ）中上下方向に互いにずらすようにして配されている。この反射ミラー１０４ａ，ｂの上記上下方向のずれ量と反射ミラー１０４ａ，ｂの位置を調整することにより、光源部１０１ａ，ｂからの光束の収束位置１０５を調整することが可能である。
【００２４】
ここで、図２および図３を用いて、本発明の照明光学系にかかる条件式（１）について説明する。
【００２５】
図２（Ａ）は、図１（Ａ）の片方の光源部１０１ａおよび反射ミラー１０４ａを抜き出し、拡大したものを示すもので、条件式（１）を説明するための概略構成図である。また、図２（Ａ）では、光束が反射ミラー４を透過するように表されているが、条件式（１）の説明を容易にするためのものである（以下の図２（Ｂ）において同じ）。
【００２６】
ここで、条件式（１）は、光軸上における、収束位置５から反射ミラー４までの距離Ｌ（収束位置５から光源部１方向を正にとる）と、光軸上における、収束位置５から楕円面形状のリフレクタ２の光束射出位置までの距離Ｙとの比を、下述する如く、収束位置５へ入射する光の収束角θ、楕円面形状のリフレクタ２の有効径Ｄ、および上記Ｌを用いて規定したものである。
０．０５＜２｜Ｌ｜ｔａｎ（θ／２）／Ｄ＜０．３５・・・（１）
【００２７】
続いて、条件式（１）の技術的意義を、図３（Ａ）を用いて説明する。図３（Ａ）は、反射ミラー４の位置が、収束位置５（条件式（１）の値が０）ならびに条件式（１）の上限値および下限値となるように配設された場合の、反射ミラー４上のビームプロファイルを示すものである（横軸は光軸と直交する反射ミラー４上の位置、縦軸はビーム強度：図３（Ｂ）において同じ）。図３（Ａ）により、条件式（１）を満足する位置においては、ビーム径をそれ程大きくさせることなく、収束位置５に比べて、ビーム最大強度を大幅に低下させることができることが明らかである。すなわち、条件式（１）の上限値を上回ると、反射ミラー４上のビーム強度はさらに下がるものの、ビーム径が大きくなり過ぎてしまい、反射ミラー４が大型化してしまう。一方、条件式（１）の下限値を下回ると、ビーム径は小さくなるものの、ビーム最大強度が大きくなり過ぎてしまうことから、反射ミラー４の表面の一部が集中的に加熱されてしまい、表面にコーティングされた多層膜等が損傷を受けてしまう。
【００２８】
本実施形態のものは条件式（１）を満足しているため次の効果を奏する。すなわち、明るい光源部１０１ａ，ｂを用いているにもかかわらず、反射ミラー１０４ａ，ｂの表面のコーティング膜等が、損傷を受けにくくすることができるとともに、反射ミラー１０４ａ，ｂの大型化を抑制することができる。
【００２９】
このように条件式（１）を満足することで、明るい光源部を使用でき、また、複数の光源部の光源像を収束位置１０５において互いに近接して配することで光量を有効利用することができるので、明るい照明光学系とすることが可能となる。
【００３０】
図２（Ｂ）はリフレクタ２が放物面形状とされた場合において、条件式（１）を満足さする態様を示すものである。すなわち、リフレクタ２から射出した平行光束はコンデンサレンズ７によって１点に収束することになり、これによってリフレクタが楕円形状とされた図２（Ａ）の場合と同様に条件式（１）の規定を行うことができる。なお、Ｙは、光軸上における、収束位置５から放物面形状のリフレクタ２より光束射出位置までの距離である。図２（Ｂ）の態様においては、光束射出位置がコンデンサレンズ７の光束射出位置とされる。また、図３（Ｂ）はこの場合のビームプロファイルを示すものであり、図３（Ａ）と略同様のビームプロファイル形状とされていることを示しており、条件式（１）を満足することで、ビーム径をそれ程大きくさせることなく、ビーム最大強度を大幅に低下することができることが明らかである。
【００３１】
また、図２（Ｃ）、（Ｄ）は、反射ミラー４が、収束位置５のインテグレータ部１０８側に配された場合において、条件式（１）を満足する態様について説明するための概略構成図であり、反射ミラー４が、収束位置５のインテグレータ部１０８側に配された点を除いて、図２（Ｃ）は図２（Ａ）と、図２（Ｄ）は図２（Ｂ）と同様である。なお、上記Ｌは、収束位置５から光源部１方向を正にとるように規定されているので、図２（Ｃ）、（Ｄ）の場合は、Ｌが負値となる。しかし、条件式（１）においてはＬに絶対値符号が付されているので、反射ミラー４が、収束位置５の光源部１側に配された場合、すなわち図２（Ａ）、（Ｂ）の場合と同様に、反射ミラー４の結像位置からの距離の範囲を規定することができる。
【００３２】
なお、図１（Ａ）において光源部は２つとされているが、これを３つ以上とすることも可能である。各光源部からの光束を反射する反射ミラーが近接して配設されている場合、一般に、光源部が増えるほどそれぞれの光束による熱の影響の総和は多大なものとなるので、上記条件式（１）を満足することにより、作用効果はより大きなものとなる。
【００３３】
次に、上述した照明光学系を搭載した投写型表示装置の一例の概略を図１（Ａ）を用いて説明する。図１（Ａ）に示す投写型表示装置は、ライトバルブとして透過型液晶パネル１１ａ〜ｃを含む投写部３００を備え、照明光学系１０として上述した実施形態に係る照明光学系を備えている。照明光学系１０からの白色光はこの後、投写部３００に入射され、この投写部３００において、３つの色光光束（Ｇ光、Ｂ光、Ｒ光）に分離され、それぞれの色光に対応する液晶パネル１１ａ〜ｃに入射されて光変調され、クロスダイクロイックプリズム１４により色合成され、投写レンズ２０により図示されないスクリーン上に投映される。なお、投写部３００は、その他に、色分解のためのダイクロイックミラー１２、１３、コンデンサレンズ１６ａ〜ｃおよび全反射ミラー１８ａ〜ｃ等を備えている。このように構成された本実施形態の投写型表示装置は、本実施形態に係る照明光学系を用いているので、明るい映像をスクリーン上に投写できる。
【００３４】
本発明の照明光学系および投写型表示装置としては、上記実施形態のものに限られるものではなく、その他の種々の態様の変更が可能であり、例えば、ライトバルブとしても反射型の液晶表示パネルあるいはＤＭＤ等の他のライトバルブを用いることが可能である。
【００３５】
また、上記光源部として、高圧水銀ランプ、ＬＥＤ、レーザ等の他の発光源を用いたものとすることができる。また、Ｒ、Ｇ、Ｂの各色光を発光する発光体を備えた光源部を各々設け、それらからの光を合成して照明光を生成するようにしてもよい。
【００３６】
また、本発明の照明光学系は投写型表示装置の照明光学系としての使用態様に限られるものではなく、その他の装置の照明光学系として使用可能である。
【実施例】
【００３７】
以下、各実施例について図面を用いて具体的に説明する。
【００３８】
＜実施例１＞
実施例１にかかる照明光学系は、前述したように図１（Ａ）に示す如き構成とされている。すなわちこの照明光学系は、楕円面形状のリフレクタ１０２ａ，ｂの略焦点位置に、キセノンランプやメタルハライドランプ等の発光管よりなる発光体１０３ａ，ｂを配設し、発光体１０３ａ，ｂから射出された光束を一点に向けて収束させる機能を有する光源部１０１ａ，ｂを備え、さらに、反射ミラー１０４ａ，ｂ、コリメータレンズ１０７、第１インテグレータ板１０９と第２インテグレータ板１１０とからなるインテグレータ部１０８、および櫛形ＰＢＳアレイ１１１とを備えている。発光体１０３ａ，ｂから射出された光束は、各々リフレクタ１０２ａ，ｂにより反射され、更に反射ミラー１０４ａ，ｂにより各々反射される。その後光束は、コリメータレンズ１０７により略平行光束とされ、インテグレータ部１０８により光量の略均一化がなされ、櫛形ＰＢＳアレイ１１１によりＰ波またはＳ波のいずれかの偏光にそろえられて、投写型表示装置に入射するようになっている。また、図中の一点鎖線は光軸１０６を示すものである。
【００３９】
また、本実施例のものは、光源部１０１ａ，ｂの各々から射出された光束が収束位置１０５において互いに収束するようになっている。
【００４０】
実施例１のものにおいては、リフレクタ１０２ａ，ｂとして楕円面形状のものを用い、反射光学素子として図１（Ｂ）中、上下方向に互いにずらされた２枚の反射ミラー１０４ａ，ｂを用い、この反射ミラー１０４ａ，ｂの配設位置が上記条件式（１）を満足するように構成されている。これにより、明るい光源部１０１ａ，ｂを用いているにもかかわらず、反射ミラー１０４ａ，ｂの表面にコーティングされた多層膜等が、光束照射による熱損傷を受けにくくすることができるとともに、反射ミラー１０４ａ，ｂの大型化を抑制することができる。
【００４１】
＜実施例２＞
実施例２にかかる照明光学系の概略構成図を図４に示す。この実施例２にかかる照明光学系は、図４（Ａ）のリフレクタ１０２ａ，ｂが放物面形状であり、光束を収束させるためのコンデンサレンズ３０７ａ，ｂを配設していること以外は、実施例１のものと略同様の構成とされており、対応する図面において同一の要素については同一の符号を付し、重複する説明については省略する（以下の実施例３〜６について同じ）。
【００４２】
なお、本実施例においても、実施例１のものと略同様に、明るい光源部１０１ａ，ｂを用いているにもかかわらず、反射ミラー１０４ａ，ｂの表面にコーティングされた多層膜等が、光束照射による熱損傷を受けにくくすることができるとともに、反射ミラー１０４ａ，ｂの大型化を抑制することができる。
【００４３】
＜実施例３＞
実施例３にかかる照明光学系の概略構成図を図５に示す。この実施例３にかかる照明光学系は、実施例１のものと比べて、光束収束位置１０５ａ，ｂが、それぞれ光源部１０１ａ，ｂと反射ミラー１０４ａ，ｂの間にあることが異なっている。すなわち、反射ミラー１０４ａ，ｂ上において、光源部１０１ａ，ｂからの光束が、発散された状態で照射されることになる。また、この場合、収束位置１０５ａ，ｂから反射ミラー１０４ａ，ｂまでの距離Ｌは負値となるが、条件式（１）のＬには絶対値が付されているので、実施例２による作用効果は、実施例１のものと何ら変わりはない。
【００４４】
すなわち、本実施例においても、実施例１のものと略同様に、明るい光源部１０１ａ，ｂを用いているにもかかわらず、反射ミラー１０４ａ，ｂの表面にコーティングされた多層膜等が、光束照射による熱損傷を受けにくくすることができるとともに、反射ミラー１０４ａ，ｂの大型化を抑制することができる。
【００４５】
＜実施例４＞
実施例４にかかる照明光学系の概略構成図を図６に示す。この実施例４にかかる照明光学系は、図６のリフレクタ１０２ａ，ｂが放物面形状であり、光束を収束させるためのコンデンサレンズ３０７ａ，ｂを配設していること以外は、実施例３のものと略同様の構成とされている。
【００４６】
なお、本実施例においても、実施例１のものと略同様に、明るい光源部１０１ａ，ｂを用いているにもかかわらず、反射ミラー１０４ａ，ｂの表面にコーティングされた多層膜等が、光束照射による熱損傷を受けにくくすることができるとともに、反射ミラー１０４ａ，ｂの大型化を抑制することができる。
【００４７】
＜実施例５＞
実施例５にかかる照明光学系の概略構成図を図７に示す。この実施例５にかかる照明光学系は、反射光学素子として三角プリズム１１５を用いていること以外は、実施例１のものと略同様の構成とされている。
【００４８】
また、図７中では、光源部１０１ａ，ｂからの光束が三角プリズム１１５の２つの反射面１１５ａ，ｂで反射された後、第２インテグレータ板１１０のレンズアレイの各レンズセル３１０（図１０参照）に、各光源部１０１ａ，ｂの像３０１ａ，ｂ（図１０参照）が形成される様子が示されている。光源部１０１ａ，ｂの像３０１ａ，ｂは、図１０に示す如く形成され、三角プリズム１１５の形状や位置を調整することにより、各セル３１０内の所定の位置に形成することが可能となる。
【００４９】
なお、上述した他の実施例のものでは図示されていないが、本実施例と同様に第２インテグレータ板１１０の各レンズセル３１０（図１０参照）上に各光源部１０１ａ，ｂの像が形成されるようにすることが可能である。
【００５０】
なお、本実施例５においても、実施例１のものと略同様に、明るい光源部１０１ａ，ｂを用いているにもかかわらず、三角プリズム１１５の表面にコーティングされた多層膜等が、光束照射による熱損傷を受けにくくすることができるとともに、三角プリズム１１５の大型化を抑制することができる。
【００５１】
＜実施例６＞
実施例６にかかる照明光学系の概略構成図を図８に示す。この実施例６にかかる照明光学系は、リフレクタ１０２ａ，ｂが放物面形状であり、光束を収束させるためのコンデンサレンズ３０７ａ，ｂを配設していること以外は、実施例５のものと略同様の構成とされている。
【００５２】
なお、本実施例においても、実施例１のものと略同様に、明るい光源部１０１ａ，ｂを用いているにもかかわらず、三角プリズム１１５の表面にコーティングされた多層膜等が、光束照射による熱損傷を受けにくくすることができるとともに、三角プリズム１１５の大型化を抑制することができる。
【図面の簡単な説明】
【００５３】
【図１】実施例１に係る照明光学系とその投写型表示装置の概略構成図
【図２】条件式（１）を説明するための概略構成図
【図３】条件式（１）の値が０ならびに上限値および下限値の場合における反射ミラー上のビームプロファイル
【図４】実施例２に係る照明光学系の概略構成図
【図５】実施例３に係る照明光学系の概略構成図
【図６】実施例４に係る照明光学系の概略構成図
【図７】実施例５に係る照明光学系の概略構成図
【図８】実施例６に係る照明光学系の概略構成図
【図９】インテグレータ部にロッドインテグレータを用いた場合の概略構成図
【図１０】第２インテグレータ板の各レンズセル上に２つの光源像が形成されている状態を示す図
【符号の説明】
【００５４】
１、１０１ａ，ｂ  光源部
２、１０２ａ，ｂ  リフレクタ
３、１０３ａ，ｂ  発光体
４、１０４ａ，ｂ  反射ミラー
５、１０５、１０５ａ，ｂ  収束位置（結像位置）
６、１０６  光軸
７、１６ａ〜ｃ、３０７ａ，ｂ  コンデンサレンズ
１０  照明光学系
１１ａ〜ｃ  透過型液晶パネル
１２、１３  ダイクロイックミラー
１４  クロスダイクロイックプリズム
１８ａ〜ｃ  全反射ミラー
１０７  コリメータレンズ
１０８  インテグレータ部
１０９  第１インテグレータ板
１１０  第２インテグレータ板
１１１  櫛形ＰＢＳアレイ
１１５  三角プリズム
２００  ロッドインテグレータ
３００  投写部
【図１】
2008158112.tif 000003
【図２】
2008158112.tif 000004
【図３】
2008158112.tif 000005
【図４】
2008158112.tif 000006
【図５】
2008158112.tif 000007
【図６】
2008158112.tif 000008
【図７】
2008158112.tif 000009
【図８】
2008158112.tif 000010
【図９】
2008158112.tif 000011
【図１０】
2008158112.tif 000012